(57)【要約】【課題】内蔵電池による受信回路への電力供給を制限することで、内蔵電池の省電力化を図ったアクティブタグ装置を提供する。【解決手段】アクティブタグ装置は、アンテナ（例えば、ＬＦアンテナ）を介して外部の電波発生源（例えば、読取装置）から信号を受信する受信回路（例えば、ＬＦ信号受信回路）と、内蔵電池から電力供給を受けて前記受信回路が受信動作する動作期間と内蔵電池から電力供給を受けない休止期間とを繰り返すように制御する電力制御手段とを備える。【選択図】図２
2012147419.tif 000002
【特許請求の範囲】
【請求項１】
アンテナを介して外部から信号を受信する受信回路と、
内蔵電池から電力供給を受けて前記受信回路が受信動作する動作期間と電力供給を受けない休止期間とを繰り返すように制御する電力制御手段とを備える
ことを特徴とするアクティブタグ装置。
【請求項２】
前記アクティブタグ装置は、前記アンテナをＮ個（Ｎ≧１）備え、
前記受信回路は、前記動作期間に、前記アンテナ毎に一定時間Ｔｃずつ受信信号の受信を試み、
前記電力制御手段は、前記受信信号に含まれる同期信号の送信期間をＴａとしたときに、前記休止期間の時間長ＴｓをＴｓ≦Ｔａ−Ｔｃ（Ｎ＋１）となるように決定する
ことを特徴とする請求項１に記載のアクティブタグ装置。
【請求項３】
前記電力制御手段は、前記休止期間の長さの変更が可能である
ことを特徴とする請求項２に記載のアクティブタグ装置。
【請求項４】
前記アクティブタグ装置は、更に、現在時刻が第一期間に属するかと第二期間に属するかとを識別する計時手段を備え、
前記電力制御手段は、前記計時手段の識別結果が前記第一期間である場合は、前記休止期間をＴｓに設定し、前記計時手段の識別結果が前記第二期間である場合は、前記休止期間をＴｌ（Ｔｓ＜Ｔｌ）に設定する
ことを特徴とする請求項３に記載のアクティブタグ装置。
【請求項５】
前記アクティブタグ装置は、更に、自装置が所定のエリア内に存するか否かを判断するためのエリア情報を記憶する記憶手段を備え、
前記電力制御手段は、前記エリア情報に基づき自装置が前記所定のエリア内に存すると判断されたときは、前記休止期間をＴｓに設定し、前記所定のエリア内にいないと判断されたときは前記休止期間をＴｌ（Ｔｓ＜Ｔｌ）に設定する
ことを特徴とする請求項３に記載のアクティブタグ装置。
【請求項６】
前記エリア情報は、所定のエリア内を示すエリア内識別子であり、
外部の電波発生源が管理するエリアに入った場合において、前記電波発生源からの前記受信信号に含まれる前記電波発生源の識別子と前記エリア内識別子とが一致したときは、前記所定のエリア内にいると判断する
ことを特徴とする請求項５に記載のアクティブタグ装置。
【請求項７】
更に、前記エリア情報は、所定のエリア外を示すエリア外識別子も含み、
外部の電波発生源が管理するエリアに入った場合において、前記電波発生源からの前記受信信号に含まれる前記電波発生源の識別子と前記エリア外識別子とが一致したときは、前記所定のエリア内にいないと判断する
ことを特徴とする請求項６に記載のアクティブタグ装置。
【請求項８】
前記休止期間は、自装置への操作入力によって決定されることを特徴とする請求項３に記載のアクティブタグ装置。
【請求項９】
Ｎ個の前記アンテナが、直交座標系のｘ軸、ｙ軸及びｚ軸にコイル軸芯を向けた３個のアンテナであることを特徴とする請求項２に記載のアクティブタグ装置。
【請求項１０】
前記アクティブタグ装置は、前記アンテナをＭ個（Ｍ≧２）備え、
前記受信回路は、前記動作期間毎に、Ｍ個のうちの１個の前記アンテナを順に用いて受信信号の受信を試み、
前記電力制御手段は、前記動作期間を一定時間Ｔｃとし、かつ前記受信信号に含まれる同期信号の送信期間をＴａとしたときに、前記休止期間の時間長ＴｓｓをＴｓｓ≦｛Ｔａ−Ｔｃ（Ｍ＋１）｝／Ｍとなるように決定する
ことを特徴とする請求項１に記載のアクティブタグ装置。
【発明の詳細な説明】
【技術分野】
【０００１】
本発明は、アクティブタグ装置に関し、特に、消費電力低減の技術に関する。
【背景技術】
【０００２】
従来、アクティブタグ装置は認証等を行うために、常時、内蔵電池からの電力供給を受けている。この内蔵電池は、タグ内に樹脂等で埋設されていて容易に交換することができないので、内蔵電池の寿命がタグの寿命に直結することとなる。そのため、内蔵電池の長寿命化が強く要請されている。
内蔵電池の長寿命化を図るための技術として、例えば、特許文献１の技術が知られている。特許文献１に記載のアクティブタグ装置は、ＬＦ（Ｌｏｗ  Ｆｒｅｑｕｅｎｃｙ）帯の信号を受信するための受信回路とＵＨＦ（Ｕｌｔｒａ  Ｈｉｇｈ  Ｆｒｅｑｕｅｎｃｙ）帯の信号を送受信するための送受信回路とを備えている。このアクティブタグ装置は、受信回路によりＬＦ帯の起動信号を受信すると、送受信回路を用いて自装置のＩＤの送信及び当該送信に対するＡＣＫ信号の受信を開始し、ＡＣＫ信号を受信している間は、自装置のＩＤを送信し続ける。そして、ＡＣＫ信号が受信できなくなったときに、このアクティブタグ装置は、送受信回路を用いた送信を停止し、内蔵電池の電力消費を抑制した状態にすることができる。
【先行技術文献】
【特許文献】
【０００３】
【特許文献１】特開２００９−０７７３５５号公報
【発明の概要】
【発明が解決しようとする課題】
【０００４】
しかしながら、上述のアクティブタグ装置は、送受信回路による電力消費を低減することで内蔵電池の省電力化を実現しているものの、受信回路は常に内蔵電池からの電力供給を受け、電力を消費し続けている。
本発明は、係る問題に鑑みてなされたものであり、受信回路への電力供給を制限することで、内蔵電池の省電力化を図ったアクティブタグ装置を提供することを目的とする。
【課題を解決するための手段】
【０００５】
上記課題を解決するために本発明に係るアクティブタグ装置は、アンテナを介して外部から信号を受信する受信回路と、内蔵電池から電力供給を受けて前記受信回路が受信動作する動作期間と電力供給を受けない休止期間とを繰り返すように制御する電力制御手段とを備えることを特徴とする。
また、前記アクティブタグ装置は、前記アンテナをＮ個（Ｎ≧１）備え、前記受信回路は、前記動作期間に、前記アンテナ毎に一定時間Ｔｃずつ受信信号の受信を試み、前記電力制御手段は、前記受信信号に含まれる同期信号の送信期間をＴａとしたときに、前記休止期間の時間長ＴｓをＴｓ≦Ｔａ−Ｔｃ（Ｎ＋１）となるように決定することとしてもよい。
【０００６】
ここで、前記アクティブタグ装置における前記電力制御手段は、前記休止期間の長さの変更が可能であることとしてもよい。
また、前記アクティブタグ装置は、更に、現在時刻が第一期間に属するかと第二期間に属するかとを識別する計時手段を備え、前記電力制御手段は、前記計時手段の識別結果が前記第一期間である場合は、前記休止期間をＴｓに設定し、前記計時手段の識別結果が前記第二期間である場合は、前記休止期間をＴｌ（Ｔｓ＜Ｔｌ）に設定することとしてもよい。
【０００７】
また、前記アクティブタグ装置は、更に、自装置が所定のエリア内に存するか否かを判断するためのエリア情報を記憶する記憶手段を備え、前記電力制御手段は、前記エリア情報に基づき自装置が前記所定のエリア内に存すると判断されたときは、前記休止期間をＴｓに設定し、前記所定のエリア内にいないと判断されたときは前記休止期間をＴｌ（Ｔｓ＜Ｔｌ）に設定することとしてもよい。
【０００８】
ここで、前記アクティブタグ装置における前記エリア情報は、所定のエリア内を示すエリア内識別子であり、外部の電波発生源が管理するエリアに入った場合において、前記電波発生源からの前記受信信号に含まれる前記電波発生源の識別子と前記エリア内識別子とが一致したときは、前記所定のエリア内にいると判断することとしてもよい。
ここで、更に、前記エリア情報は、所定のエリア外を示すエリア外識別子も含み、外部の電波発生源が管理するエリアに入った場合において、前記電波発生源からの前記受信信号に含まれる前記電波発生源の識別子と前記エリア外識別子とが一致したときは、前記所定のエリア内にいないと判断することとしてもよい。
【０００９】
また、前記アクティブタグ装置における前記休止期間は、自装置への操作入力によって決定されることとしてもよい。
また、前記アクティブタグ装置におけるＮ個の前記アンテナが、直交座標系のｘ軸、ｙ軸及びｚ軸にコイル軸芯を向けた３個のアンテナであることとしてもよい。
また、前記アクティブタグ装置は、前記アンテナをＭ個（Ｍ≧２）備え、前記受信回路は、前記動作期間毎に、Ｍ個のうちの１個の前記アンテナを順に用いて受信信号の受信を試み、前記電力制御手段は、前記動作期間を一定時間Ｔｃとし、かつ前記受信信号に含まれる同期信号の送信期間をＴａとしたときに、前記休止期間の時間長ＴｓｓをＴｓｓ≦｛Ｔａ−Ｔｃ（Ｍ＋１）｝／Ｍとなるように決定することとしてもよい。
【発明の効果】
【００１０】
上述の構成により、本発明に係るアクティブタグ装置は、受信回路にも休止期間を設けたことで、従来のアクティブタグ装置より更に内蔵電池の電力消費を抑制し、内蔵電池の長寿命化を実現することができる。
【図面の簡単な説明】
【００１１】
【図１】実施形態１に係る入退場管理システム１０００の構成図
【図２】アクティブタグ装置２００の機能構成を示すブロック図
【図３】質問信号及び応答信号のデータ構成を示す図
【図４】アクティブタグ装置２００の認証に係る処理のフローチャート
【図５】アクティブタグ装置２００の受信タイミングを示す図
【図６】アクティブタグ装置２００の休止期間変更に係る処理のフローチャート
【図７】実施形態２に係る入退場管理システム１１００の構成図
【図８】アクティブタグ装置５００の機能構成を示すブロック図
【図９】アクティブタグ装置５００の休止期間変更に係る処理のフローチャート
【図１０】実施形態３に係るアクティブタグ装置６００の機能構成を示すブロック図
【図１１】アクティブタグ装置６００の受信タイミングを示す図
【図１２】アクティブタグ装置６００の認証に係る処理を示すフローチャート
【図１３】アクティブタグ装置６００の休止期間変更に係る処理のフローチャート
【発明を実施するための形態】
【００１２】
≪実施形態１≫
以下、本発明の一実施形態に係るアクティブタグ装置について、入退場管理システムを例に説明する。
＜概要＞
図１は、入退場管理システム１０００の構成図である。
【００１３】
入退場管理システム１０００は、ユーザの保持するアクティブタグ装置２００と、アクティブタグ装置２００への質問信号の送信及び質問信号に対するアクティブタグ装置２００からの応答信号の受信を行う読取装置１００Ａ及び１００Ｂとによって入退場管理を行っている。
アクティブタグ装置２００は、ユーザがどのような向きでアクティブタグ装置２００を保持していても質問信号の受信が行えるように、直交座標系のｘ軸、ｙ軸及びｚ軸に対応する３軸のＬＦアンテナ２０１を備え、３軸のアンテナを順に切り替えて、質問信号の受信を行う。このとき、ＬＦアンテナ２０１は、３軸のＬＦアンテナひとつ毎に順番に質問信号を受信する動作期間と、内蔵電池から電力供給を受けない休止期間とを繰り返すことで、内蔵電池の省電力化を図っている。
【００１４】
更に、アクティブタグ装置２００は、現在時刻が昼時間（例えば、８時から２０時）か夜時間（例えば、２０時から８時）かにより、休止期間の長さを変更する。これにより、昼時間、つまりアクティブタグ装置２００のユーザがオフィス等にいると考えられる期間には、休止期間を短くすることでスムーズな入退場が可能となる。また、夜時間、つまりアクティブタグ装置２００のユーザがオフィス等にいないと考えられる期間には、休止期間を長くすることで内蔵電池の消費をより低減することが可能となる。
【００１５】
＜構成＞
図１に示す通り、入退場管理システム１０００は、電気錠１０と、読取装置１００Ａ及び１００Ｂと、アクティブタグ装置２００と、ゲートユニット３００と、管理サーバ４００とから構成されている。
各読取装置（１００Ａ及び１００Ｂ）とゲートユニット３００とはケーブル（例えば、ＲＳ−４８５規格に準拠したもの）により接続されている。また、ゲートユニット３００と電気錠１０とはケーブルにより接続されており、ゲートユニット３００と管理サーバ４００とはＬＡＮ（Ｌｏｃａｌ  Ａｒｅａ  Ｎｅｔｗｏｒｋ）を介して接続されている。
【００１６】
同図では、１台のアクティブタグ装置２００のみを例示しているが、入退場管理システム１０００のユーザそれぞれがアクティブタグ装置を保持しており、入退場管理システム１０００は複数のアクティブタグ装置を備える。
ここで、電気錠１０は、管理領域１に対する入退場を行うための扉等（不図示）に取り付けられており、通常はその扉等を施錠しており、ゲートユニット３００からの指示を受けて、扉等を解錠する。管理領域１は、入退場管理システム１０００により入場或いは退場を制御されている領域である。
【００１７】
また、読取装置１００Ａ及び１００Ｂは、それぞれ上記管理領域１の外側及び内側の上記扉等の付近に設置されており、自装置のＩＤを含む質問信号をＬＦ帯（３０〜３００ｋＨｚ）、例えば１３５ｋＨｚの信号にて繰り返し送信する。また、各読取装置（１００Ａ及び１００Ｂ）は、アクティブタグ装置２００から応答信号を受信し、その応答信号に含まれる送信元のアクティブタグ装置２００のＩＤと自装置のＩＤ（以下、「読取装置ＩＤ」という）とをゲートユニット３００に送信する。
【００１８】
なお、質問信号はＬＦ帯にて送信されるため、この質問信号を受信可能なエリアの範囲は比較的狭い範囲に限られ、ここでは、障害物がない状態で各読取装置（１００Ａ及び１００Ｂ）から１．５ｍ程度以内の範囲であるものとする。
各読取装置（１００Ａ及び１００Ｂ）は、同一の構成、機能を有するため、以下、読取装置１００Ａを用い、説明を行う。
【００１９】
アクティブタグ装置２００は、直交座標系のｘ軸（ＬＦアンテナ２０１ｘ）、ｙ軸（ＬＦアンテナ２０１ｙ）及びｚ軸（ＬＦアンテナ２０１ｚ）に対応する３軸のＬＦアンテナ２０１を備える（図２参照）。アクティブタグ装置２００は、このＬＦアンテナ２０１ｘ、２０１ｙ、２０１ｚを順に切り替え、いずれかのＬＦアンテナ（２０１ｘ、２０１ｙ又は２０１ｚ）を介して読取装置１００Ａが送信する質問信号を受信し、応答信号を送信する。なお、アクティブタグ装置２００は、この応答信号には、自装置のＩＤ（以下、「アクティブタグ装置ＩＤ」という）を含ませて送信する。また、応答信号は、ＵＨＦ帯（３００ＭＨｚ〜３ＧＨｚ）にて送信されるため、この応答信号を受信可能なエリアは比較的広い範囲となり、ここでは、障害物がない状態でアクティブタグ装置２００から２０ｍ程度の範囲であるものとする。
【００２０】
ゲートユニット３００は、読取装置（１００Ａ及び１００Ｂ）毎に管理領域１に対して入場或いは退場が可能な各アクティブタグ装置のアクティブタグ装置ＩＤのリストを保持している。ゲートユニット３００は、各読取装置（１００Ａ及び１００Ｂ）より受信した読取装置ＩＤとアクティブタグ装置ＩＤとに基づいて、アクティブタグ装置を保持するユーザの入退場に係る認証を行う。また、ゲートユニット３００は、認証が成功した場合に、受信した読取装置ＩＤが示す読取装置（１００Ａ又は１００Ｂ）と対応する扉等に設置された電気錠１０にその扉等の解錠を行わせる。
【００２１】
管理サーバ４００は、入退場管理システム１０００全般の管理を行い、特に、ゲートユニット３００の保持する読取装置（１００Ａ及び１００Ｂ）毎の入場或いは退場が可能な各アクティブタグ装置のアクティブタグ装置ＩＤのリストを更新する。具体的には、管理サーバ４００は、入退場管理システム１０００の管理者等によるリストの更新を受け付け、更新されたリストをゲートユニット３００に送信する。
【００２２】
以下、アクティブタグ装置２００の構成について更に詳しく説明する。
＜アクティブタグ装置２００＞
図２は、実施形態１に係るアクティブタグ装置２００の主要部の機能構成を示すブロック図である。
アクティブタグ装置２００は、同図に示す通り、ＬＦアンテナ２０１、ＬＦ信号受信回路２０２、ＲＦ信号送信回路２０３、制御部２０４、内蔵電池２０５、タイマ２０６及び電力制御部２０７を備える。
【００２３】
なお、アクティブタグ装置２００は、メモリ及びプロセッサ（不図示）を含んで構成されており、制御部２０４の機能は、上記メモリに記憶されているプログラムを上記プロセッサが実行することにより実現される。
ＬＦアンテナ２０１は、直交座標系のｘ軸、ｙ軸及びｚ軸それぞれにコイル軸芯を向けた、ＬＦアンテナ２０１ｘ、ＬＦアンテナ２０１ｙ及びＬＦアンテナ２０１ｚの３軸のＬＦアンテナを備える。読取装置１００Ａからの質問信号は、いずれかのＬＦアンテナ（２０１ｘ、２０１ｙ又は２０１ｚ）を介して受信される。
【００２４】
ＬＦ信号受信回路２０２は、フィルタ、アンプ、カウンタ等（不図示）を含み、カウンタに基づき一定時間毎にＬＦアンテナ（２０１ｘ、２０１ｙ及び２０１ｚ）を順に切り替えて読取装置１００Ａからの質問信号の受信を試みる。また、ＬＦ信号受信回路２０２は、ＬＦアンテナ２０１を介して質問信号を受信したときに、電力制御部２０７に対し通知を行い、受信した質問信号を制御部２０４に伝達する。なお、カウンタは、水晶振動子等を用いた発信回路により発生させたクロックパルスに基づきカウントアップを行い、カウント可能な最大値までカウントするとリセットし、再度カウントアップを行う。
【００２５】
ＲＦ信号送信回路２０３は、同図に示すＲＦアンテナの他、フィルタ、アンプ等（不図示）を含み、制御部２０４から伝達された応答信号をＲＦ帯の無線信号として送信する。
制御部２０４は、アクティブタグ装置２００全体を制御する他、質問信号を受信した場合に、その質問信号に含まれている読取装置ＩＤと自装置のアクティブタグＩＤとを含む応答信号を生成し、ＲＦ信号送信回路２０３を介して送信する。なお、制御部２０４は、応答信号を送信したときに、電力制御部２０７に対し通知を行う。
【００２６】
内蔵電池２０５は、アクティブタグ装置２００の各部に対し電力供給を行う。
タイマ２０６は、現在時刻が、設定されている昼時間から夜時間に遷移したとき、及び夜時間から昼時間に遷移したときに、電力制御部２０７に対して通知を行う。タイマ２０６に設定されている昼時間及び夜時間は、アクティブタグ装置２００の製造時に予め設定されているものとする。
【００２７】
電力制御部２０７は、スイッチ、カウンタ等（不図示）を含み、カウンタに基づき、アクティブタグ装置２００の各部に対する内蔵電池２０５による電力供給を、スイッチを用い制御する。
電力制御部２０７がＬＦ信号受信回路２０２に対し電力供給する動作期間は、各ＬＦアンテナ（２０１ｘ、２０１ｙ、２０１ｚ）が質問信号の受信を試みる受信期間にアンテナの数を掛けた値で設定されている。電力制御部２０７は、カウンタに基づき、動作期間の間は、ＬＦ信号受信回路２０２に電力を供給し、設定されている休止期間（後述）の間は、ＬＦ信号受信回路２０２への電力供給を停止する。
【００２８】
なお、電力制御部２０７は、ＬＦ信号受信回路２０２より質問信号を受信した旨の通知を受けたときは、ＲＦ信号送信回路２０３及び制御部２０４に電力を供給する。制御部２０４より応答信号を送信した旨の通知を受けたときには、ＬＦ信号受信回路２０２、ＲＦ信号送信回路２０３及び制御部２０４への電力供給を停止する。
また、電力制御部２０７は、タイマ２０６により通知を受けたときに休止期間の長さを変更する。電力制御部２０７は、タイマ２０６により昼時間に遷移したことを通知されたときは、休止期間を短く、例えばＴｓ（数ミリ秒）に設定し、夜時間に遷移したことを通知されたときには、休止期間を長く、例えばＴｌ（Ｔｓ＜Ｔｌ）に設定する。
【００２９】
＜データ＞
以下、入退場管理システム１０００において、使用されるデータについて説明する。
＜質問信号＞
まず、読取装置１００Ａが生成し送信する質問信号について説明する。
図３（ａ）は、質問信号のデータ構成を示す図である。
【００３０】
質問信号は、同図に示すように、ＣＷ（Ｃｏｎｔｉｎｕｏｕｓ  Ｗａｖｅ）２１、ＵＷ（Ｕｎｉｑｕｅ  Ｗｏｒｄ）２２、読取装置ＩＤ２３及びＣＲＣ２４から構成される。
ここで、ＣＷ２１は、質問信号のデータの始まりを示す無変調連続波であり、ＵＷ２２は、いわゆるフレーム同期信号である。
読取装置ＩＤ２３は、質問信号の送信元である読取装置１００Ａの識別情報である。
【００３１】
また、ＣＲＣ２４は、質問信号を受信したアクティブタグ装置２００が質問信号に誤りが発生しているか否かを検出するためのデータである。
＜応答信号＞
次に、アクティブタグ装置２００が生成し送信する応答信号について説明する。
図３（ｂ）は、応答信号のデータ構成を示す図である。
【００３２】
応答信号は、同図に示すように、ＣＷ３１、ＵＷ３２、読取装置ＩＤ３３、アクティブタグ装置ＩＤ３４及びＣＲＣ３５から構成される。
ここで、ＣＷ３１は、応答信号のデータの始まりを示す無変調連続波であり、ＵＷ３２は、いわゆるフレーム同期信号である。
読取装置ＩＤ３３は、受信した質問信号に含まれていた読取装置（１００Ａ又は１００Ｂ）の識別情報であり、アクティブタグ装置ＩＤ３４は、自装置の識別情報である。
【００３３】
また、ＣＲＣ３５は、応答信号を受信した読取装置（１００Ａ又は１００Ｂ）が応答信号に誤りが発生しているか否かを検出するためのデータである。
＜動作＞
以下、アクティブタグ装置２００の動作を説明する。
まず、アクティブタグ装置２００の認証に係る処理について説明する。
【００３４】
図４は、アクティブタグ装置２００の認証に係る処理を示すフローチャートである。
まず、アクティブタグ装置２００の電力制御部２０７は、内蔵電池２０５からＬＦ信号受信回路２０２への電力供給を行う（ステップＳ１）。ＬＦ信号受信回路２０２は電力供給を受けると、質問信号を受信するために、ＬＦアンテナ毎に受信を行う。つまり、ＬＦアンテナ２０１ｘでの質問信号の受信（ステップＳ２）、ＬＦアンテナ２０１ｙでの質問信号の受信（ステップＳ３）、ＬＦアンテナ２０１ｚでの質問信号の受信（ステップＳ４）を行う。いずれのＬＦアンテナ（２０１ｘ、２０１ｙ及び２０１ｚ）でも質問信号を受信できなかった場合（ステップＳ２：ＮＯ、Ｓ３：ＮＯ、Ｓ４：ＮＯ）、電力制御部２０７は、内蔵電池２０５からＬＦ信号受信回路２０２への電力供給を停止する（ステップＳ５）。また、電力制御部２０７は、設定されている休止期間が経過した後に（ステップＳ６：ＹＥＳ）、質問信号を受信するまでステップＳ１からステップＳ６までの処理を繰り返す。
【００３５】
ＬＦ信号受信回路２０２は、ＬＦアンテナ２０１ｘ〜２０１ｚのいずれかで質問信号のＣＷ２１を受信した場合は（ステップＳ２：ＣＷ受信、Ｓ３：ＣＷ受信又はＳ４：ＣＷ受信）、ステップＳ７の処理を行う。即ち、ＣＷ２１を受信したＬＦアンテナ（２０１ｘ、２０１ｙ又は２０１ｚ）を用いて同期をとり、質問信号のＣＷ２１以降のデータを受信する（ステップＳ７）。ＬＦ信号受信回路２０２は、質問信号受信後、電力制御部２０７に対し通知を行う（ステップＳ８）。この通知を受けた電力制御部２０７は、内蔵電池２０５からＲＦ信号送信回路２０３及び制御部２０４への電力供給を行う（ステップＳ９）。その後、制御部２０４は、応答信号を生成し、ＲＦ信号送信回路２０３を介して応答信号を送信し（ステップＳ１０）、電力制御部２０７へ応答信号の送信が終了したことを通知する。電力制御部２０７はこの通知を受けると、内蔵電池２０５からＬＦ信号受信回路２０２、ＲＦ信号送信回路２０３及び制御部２０４への電力供給を停止する（ステップＳ１１、Ｓ１２）。
【００３６】
その後、読取装置１００Ａが応答信号を受信し、その応答信号に含まれていた読取装置ＩＤとアクティブタグ装置ＩＤとをゲートユニット３００に送信し、ゲートユニット３００による認証が成功すると、電気錠１０が解錠され、入場が可能となる。
ここで、アクティブタグ装置２００の動作期間について説明する。
図５（ａ）は、アクティブタグ装置２００の昼時間における受信タイミングを示す図である。
【００３７】
同図に示す時刻Ｔ１から時刻Ｔ４は、動作期間を示しており、この動作期間において、アクティブタグ装置２００は、上述した図４のステップＳ１からステップＳ４の処理を行う。
即ち、動作期間の間、電力制御部２０７は、内蔵電池２０５からＬＦ信号受信回路２０２への電力供給を行う。電力供給を受けたＬＦ信号受信回路２０２は、ＬＦアンテナ２０１ｘ、２０１ｙ、２０１ｚを順に切り替え、ＬＦアンテナ（２０１ｘ、２０１ｙ及び２０１ｚ）毎に一定時間Ｔｃずつ受信を行う。つまり、時刻Ｔ１から時刻Ｔ２まではＬＦアンテナ２０１ｘでの質問信号の受信、時刻Ｔ２から時刻Ｔ３まではＬＦアンテナ２０１ｙでの質問信号の受信、時刻Ｔ３から時刻Ｔ４まではＬＦアンテナ２０１ｚでの質問信号の受信を行う。
【００３８】
時刻Ｔ４から時刻Ｔ５は、昼時間における休止期間を示しており、この休止期間において、アクティブタグ装置２００は、上述した図４のステップＳ５及びＳ６の処理を行う。即ち、休止期間の間、電力制御部２０７は、内蔵電池２０５からＬＦ信号受信回路２０２への電力供給を停止する。
その後、アクティブタグ装置２００は、質問信号を受信するまで、ＬＦ信号受信回路２０２が電力供給を受ける動作期間と電力供給を受けない休止期間とを繰り返す。
【００３９】
ここで、アクティブタグ装置２００の休止期間について説明する。
アクティブタグ装置２００を保持しているユーザが管理領域１（例えば、オフィス等）にいると考えられる昼時間においてはスムーズな入退場を実現するために、迅速に認証を行う必要がある。しかし、どのタイミングで質問信号を受信可能なエリアに入るか分からないため、読取装置１００ＡがＣＷ２１送信中に、各ＬＦアンテナ（２０１ｘ、２０１ｙ及び２０１ｚ）での受信を少なくとも１回ずつは行う必要がある。
【００４０】
ＣＷ２１送信中に、各ＬＦアンテナ（２０１ｘ、２０１ｙ及び２０１ｚ）での受信を少なくとも１回ずつ行うためには、読取装置１００ＡがＣＷ２１を送信する期間の時間長Ｔａの間に、ＬＦアンテナ（２０１ｘ、２０１ｙ及び２０１ｚ）毎の受信が、例えば、４回行えるように設定する必要がある。
もし仮に、受信回数を、各ＬＦアンテナ（２０１ｘ、２０１ｙ及び２０１ｚ）の数と同じ値である３回に設定したとすると、休止期間の時間長Ｔｓは、時刻Ｔ４から時刻Ｔ６までの長さとなり、ＬＦアンテナ２０１ｘでの受信は、時刻Ｔ６から時刻Ｔ７まで行われることになる。その場合において、もしも、時刻Ｔ１と時刻Ｔ２との間からＴａが開始されたとすると、Ｔａは時刻Ｔ６と時刻Ｔ７との間で終了することになるため、ＬＦアンテナ２０１ｘでの受信が十分に行えなくなってしまう。そのため、昼時間における休止期間の時間長Ｔｓは、Ｔｓ≦Ｔａ−４Ｔｃを満たすように決定され、ここでは最も省電力効果が高くなるようにＴｓ＝Ｔａ−４Ｔｃとしている。これにより、いずれのタイミングでアクティブタグ装置２００が質問信号を受信可能なエリアに入っても各ＬＦアンテナ（２０１ｘ、２０１ｙ及び２０１ｚ）での受信を少なくとも１回ずつは行うことができる。従って、アクティブタグ装置２００は、休止期間があっても迅速な認証が可能となる。
【００４１】
図５（ｂ）は、アクティブタグ装置２００の夜時間における受信タイミングを示す図である。夜時間における休止期間の時間長Ｔｌは、認証の必要が少ないと考えられる夜時間に設定される休止期間の時間長であるため、ＣＷ２１については考慮せず、例えば、休止期間の時間長Ｔｓ（数ミリ秒）の１０倍の長さ等でもよい。
次に、アクティブタグ装置２００の休止期間の変更に係る処理について説明する。
【００４２】
図６は、アクティブタグ装置２００の休止期間の変更に係る処理を示すフローチャートである。
電力制御部２０７は、タイマ２０６により、予め定められた昼時間から夜時間に遷移したことを通知されたときに（ステップＳ２１：ＹＥＳ、Ｓ２２：夜時間）、休止期間をＴｌに設定する（ステップＳ２３）。一方、電力制御部２０７は、タイマ２０６により夜時間から昼時間に遷移したことを通知されたときには（ステップＳ２２：昼時間）、休止期間をＴｓに設定する（ステップＳ２４）。
【００４３】
≪実施形態２≫
実施形態１では、アクティブタグ装置２００が、現在時刻が昼時間であるか夜時間であるかによって、休止期間の長さを決定する例を説明した。実施形態２では、アクティブタグ装置が所定のエリア内に存するか、つまりアクティブタグ装置を保持しているユーザが、認証を必要とするエリア内にいるか否かにより、休止期間の長さを決定する例を説明する。
【００４４】
＜構成＞
実施形態２に係る入退場管理システム１１００は、図７に示す通り、電気錠１０〜１２と、読取装置１００Ａ〜１００Ｆと、ゲートユニット３００と、管理サーバ４００と、アクティブタグ装置５００とから構成されている。
読取装置１００Ｃ〜１００Ｆとゲートユニット３００とは、読取装置１００Ａ及び１００Ｂと同様に、ケーブル（例えば、ＲＳ−４８５規格に準拠したもの）により接続されている。また、ゲートユニット３００と電気錠１１及び１２とは、電気錠１０と同様に、ケーブルにより接続されている。
【００４５】
入退場管理システム１１００は、実施形態１で説明した管理領域１の他に、管理領域２及び３に対する入退場管理を行う。
管理領域１及び２は、例えば、あるオフィス内の異なる部屋であり、管理領域３は、例えば、このオフィスが入居しているビルである。
ここで、電気錠１１は、管理領域２に対する入退場を行うための扉等（不図示）に取り付けられており、電気錠１２は、管理領域３に対する入退場を行うための扉等（不図示）に取り付けられている。電気錠１１及び１２は、電気錠１０と同様に、通常はその扉等を施錠しており、ゲートユニット３００からの指示を受けて、扉等を解錠する。
【００４６】
また、読取装置１００Ｃ及び１００Ｄは、上記管理領域２の外側及び内側の扉等の付近に設置されており、読取装置１００Ｅ及び１００Ｆは、上記管理領域３の外側及び内側の扉等の付近に設置されている。読取装置１００Ｃ、１００Ｄ、１００Ｅ及び１００Ｆは読取装置１００Ａとそれぞれ同一の構成、機能を有するため、その構成の説明は省略する。
また、ゲートユニット３００及び管理サーバ４００についても、実施形態１で説明したため、ここでは説明を省略する。
【００４７】
＜アクティブタグ装置５００＞
図８は、アクティブタグ装置５００の主要部の機能構成を示すブロック図である。
アクティブタグ装置５００は、同図に示す通り、ＬＦアンテナ２０１、ＬＦ信号受信回路２０２、ＲＦ信号送信回路２０３、内蔵電池２０５、記憶部５０１、制御部５０４及び電力制御部５０７を備える。
【００４８】
ＬＦアンテナ２０１、ＬＦ信号受信回路２０２、ＲＦ信号送信回路２０３及び内蔵電池２０５は、アクティブタグ装置２００と同一であるため、ここでの説明は省略する。
ここで、記憶部５０１は、認証を必要とするエリア内にいるか否かを判断するためのエリア内ＩＤ及びエリア外ＩＤを記憶するためのメモリ領域である。
ここでは、エリア内ＩＤは、管理領域３の外側（この例では、ビルの入り口の外側）に設置されている読取装置（この例では、１００Ｅ）の読取装置ＩＤであるものとする。また、エリア外ＩＤは、管理領域３の内側（この例では、ビルの入り口の内側）に設置されている読取装置（この例では、１００Ｆ）の読取装置ＩＤであるものとする。エリア内ＩＤ及びエリア外ＩＤは、アクティブタグ装置５００の運用開始時において、入退場管理システム１０００の管理者等により予め記憶部５０１に記憶されているものとする。
【００４９】
制御部５０４は、制御部２０４の動作に加え、受信した質問信号に含まれている読取装置ＩＤと記憶部５０１が記憶しているエリア内ＩＤ及びエリア外ＩＤとが一致するか否かを判定する。
また、電力制御部５０７は、基本的には、実施形態１に係る電力制御部２０７と同様の機能を有するが、休止期間の長さを制御部５０４の判定結果に応じて変更する点で電力制御部２０７とは異なる。具体的には、電力制御部５０７は、制御部５０４により、読取装置ＩＤとエリア内ＩＤとが一致した旨の判定がなされた場合には、休止期間をＴｓに設定する。また、電力制御部５０７は、制御部５０４により、読取装置ＩＤとエリア外ＩＤとが一致した旨の判定がなされなかった場合には、休止期間をＴｌに設定する。
【００５０】
＜データ＞
質問信号及び応答信号は、実施形態１と同一の構成のため、ここでは説明を省略する。
＜動作＞
アクティブタグ装置５００の認証に係る処理は、図４に示すフローと同一であるためここでは説明を省略し、休止期間の変更に係る処理のみ説明する。
【００５１】
図９は、アクティブタグ装置５００の休止期間の変更に係る処理のフローチャートである。
アクティブタグ装置５００の制御部５０４は、ＬＦアンテナ２０１を介して質問信号を受信すると（ステップＳ３１）、受信した質問信号に含まれる読取装置ＩＤと記憶部５０１に記憶しているエリア外ＩＤとが一致するか否か判定する（ステップＳ３２）。
【００５２】
制御部５０４は、読取装置ＩＤとエリア外ＩＤとが一致した場合（ステップＳ３２：ＹＥＳ）、この判定結果を電力制御部５０７に通知する。この通知を受けた電力制御部５０７は、休止期間をＴｌに設定する（ステップＳ３３）。読取装置ＩＤとエリア外ＩＤとが一致した場合、アクティブタグ装置５００を保持するユーザが、認証が必要なエリア（つまり、管理領域３）の外にいると判定でき、認証の必要が少ないと考えられる。従って、内蔵電池の消費をより低減すべく、休止期間の時間長をより長くするものである。
【００５３】
一方、制御部５０４は、読取装置ＩＤとエリア外ＩＤとが一致しなかった場合（ステップＳ３２：ＮＯ）、読取装置ＩＤがエリア内ＩＤと一致するか否か判定する（ステップＳ３４）。制御部５０４は、読取装置ＩＤがエリア内ＩＤと一致した場合（ステップＳ３４：ＹＥＳ）は、休止期間をＴｓに設定する（ステップＳ３５）。休止期間をＴｓに設定するのは、読取装置ＩＤとエリア内ＩＤとが一致した場合、アクティブタグ装置５００を保持するユーザが、認証が必要なエリア（つまり、管理領域３）の中にいると判定でき、迅速に認証を行う必要があるためである。
【００５４】
これにより、アクティブタグ装置５００を保持するユーザがオフィス等にいるときは、休止期間を短くすることで迅速な認証が可能となり、オフィス等にいないときは、休止期間を長くすることで内蔵電池の消費をより低減することができる。
≪実施形態３≫
実施形態１及び２では、アクティブタグ装置（２００、５００）のＬＦ信号受信回路２０２は、動作期間毎に、３軸のＬＦアンテナ（２０１ｘ、２０１ｙ及び２０１ｚ）全てを順に用いて質問信号の受信を試みる例を説明した。
【００５５】
実施形態３では、ＬＦ信号受信回路が、動作期間毎に、３軸のＬＦアンテナ（２０１ｘ、２０１ｙ及び２０１ｚ）のうちの１軸のＬＦアンテナを順に用いて質問信号の受信を試みる例を、実施形態１との相違点を中心に説明する。
＜構成＞
実施形態３に係る入退場管理システムは、実施形態１に係る入退場管理システム１０００のアクティブタグ装置２００に代えて、アクティブタグ装置６００を備える点で異なる。電気錠１０、各読取装置（１００Ａ及び１００Ｂ）、ゲートユニット３００及び管理サーバ４００の構成は実施形態１で説明した通りである。従って、ここでは、アクティブタグ装置６００の構成を説明する。
【００５６】
＜アクティブタグ装置６００＞
図１０は、実施形態３に係るアクティブタグ装置６００の主要部の機能構成を示すブロック図である。
アクティブタグ装置６００は、同図に示す通り、ＬＦアンテナ２０１、ＲＦ信号送信回路２０３、制御部２０４、内蔵電池２０５、タイマ２０６、ＬＦ信号受信回路６０２及び電力制御部６０７を備える。
【００５７】
ＬＦアンテナ２０１、ＲＦ信号送信回路２０３、制御部２０４、内蔵電池２０５及びタイマ２０６は、アクティブタグ装置２００と同一であるため、ここでの説明は省略する。
ここで、ＬＦ信号受信回路６０２は、基本的には、実施形態１に係るＬＦ信号受信回路２０２と同様の機能を有するが、以下の点で、ＬＦ信号受信回路２０２とは異なる。即ち、ＬＦ信号受信回路６０２は、動作期間毎に、３軸のＬＦアンテナ（２０１ｘ、２０１ｙ及び２０１ｚ）のうちの１軸のＬＦアンテナ（２０１ｘ、２０１ｙ又は２０１ｚ）を順に用いて、読取装置１００Ａからの質問信号の受信を試みる。
【００５８】
また、電力制御部６０７は、基本的には、実施形態１に係る電力制御部２０７と同様の機能を有するが、設定する動作期間及び休止期間の長さが電力制御部２０７とは異なる。
ここで、アクティブタグ装置６００の動作期間と休止期間とについて説明する。
図１１（ａ）は、アクティブタグ装置６００の昼時間における受信タイミングを示す図である。
【００５９】
同図に示す時刻Ｔ１１から時刻Ｔ１２、時刻Ｔ１３から時刻Ｔ１４及び時刻Ｔ１５から時刻Ｔ１６は、それぞれ動作期間を示している。実施形態３における動作期間の時間長は、実施形態１において各ＬＦアンテナ（２０１ｘ、２０１ｙ及び２０１ｚ）が質問信号の受信を試みる受信期間の時間長Ｔｃと等しい。
ＬＦ信号受信回路６０２は、動作期間毎に、３軸のうちの１軸のＬＦアンテナ（２０１ｘ、２０１ｙ又は２０１ｚ）を順に用いて質問信号の受信を行う。つまり、時刻Ｔ１１から時刻Ｔ１２まではＬＦアンテナ２０１ｘで、時刻Ｔ１３から時刻Ｔ１４まではＬＦアンテナ２０１ｙで、時刻Ｔ１５から時刻Ｔ１６まではＬＦアンテナ２０１ｚで、時刻Ｔ１７から時刻Ｔ１８までは再びＬＦアンテナ２０１ｘで質問信号の受信を行う。
【００６０】
また、時刻Ｔ１２から時刻Ｔ１３、時刻Ｔ１４から時刻Ｔ１５及び時刻Ｔ１６から時刻Ｔ１７は、それぞれ昼時間における休止期間を示している。実施形態３の昼時間における休止期間の時間長Ｔｓｓは、Ｔｓｓ≦（Ｔａ−４Ｔｃ）／３を満たすように決定される。これは、実施形態１で説明したように、昼時間においては迅速に認証を行えるように、ＣＷ２１送信中に、各ＬＦアンテナ（２０１ｘ、２０１ｙ及び２０１ｚ）での受信を少なくとも１回ずつ行うようにするためである。ここでは最も省電力効果が高くなるようにＴｓｓ＝（Ｔａ−４Ｔｃ）／３としている。即ち、実施形態３の昼時間における休止期間の時間長Ｔｓｓは、実施形態１の昼時間における休止期間の時間長Ｔｓ／３と等しい。
【００６１】
図１１（ｂ）は、アクティブタグ装置６００の夜時間における受信タイミングを示す図である。夜時間における休止期間の時間長Ｔｌｓは、認証の必要が少ないと考えられる夜時間に設定される休止期間の時間長であるため、ＣＷ２１については考慮せず、例えば、昼時間における休止期間の時間長Ｔｓｓの数倍の長さ等でもよい。
＜データ＞
質問信号及び応答信号は、実施形態１と同一の構成のため、ここでは説明を省略する。
【００６２】
＜動作＞
以下、アクティブタグ装置６００の動作を説明する。
まず、アクティブタグ装置６００の認証に係る処理について説明する。
図１２は、アクティブタグ装置６００の認証に係る処理を示すフローチャートである。
アクティブタグ装置６００の認証に係る処理は、同図に示すように、実施形態１に係るアクティブタグ装置２００の認証に係る処理（図４参照）のステップＳ２〜Ｓ４の処理に代えて、ステップＳ４１の処理を行うものである。従って、ステップＳ４１の処理を中心に説明する。
【００６３】
ＬＦ信号受信回路６０２は電力供給を受けると（ステップＳ１）、３軸のうちの対象軸のＬＦアンテナで質問信号の受信を試みる（ステップＳ４１）。ここで、対象軸とは、３軸（ｘ軸、ｙ軸及びｚ軸）のうちの１軸のことをいう。動作期間毎に、３軸のＬＦアンテナ（２０１ｘ、２０１ｙ及び２０１ｚ）のうちの１軸のＬＦアンテナを順に用いて質問信号の受信を試みるために、ステップＳ４１の処理が実行される毎に、対象軸は、ｘ軸、ｙ軸、ｚ軸の順で切り替えられる。即ち、ステップＳ４１の処理が、最初に実行されるときにはＬＦアンテナ２０１ｘで、２回目に実行されるときにはＬＦアンテナ２０１ｙで、３回目に実行されるときにはＬＦアンテナ２０１ｚで、４回目に実行されるときには再びＬＦアンテナ２０１ｘでというように、質問信号の受信を行う。
【００６４】
対象軸のＬＦアンテナ（２０１ｘ、２０１ｙ又は２０１ｚ）で質問信号を受信できなかった場合に（ステップＳ４１：ＮＯ）、電力制御部６０７は、内蔵電池２０５からＬＦ信号受信回路６０２への電力供給を停止する（ステップＳ５）。また、電力制御部６０７は、設定されている休止期間が経過した後に（ステップＳ６：ＹＥＳ）、対象軸のＬＦアンテナ（２０１ｘ、２０１ｙ又は２０１ｚ）で質問信号を受信するまで、ステップＳ１、Ｓ４１、Ｓ５及びＳ６の処理を繰り返す。
【００６５】
ＬＦ信号受信回路６０２が、対象軸のＬＦアンテナ（２０１ｘ、２０１ｙ又は２０１ｚ）で質問信号のＣＷ２１を受信した場合は（ステップＳ４１：ＣＷ受信）、ステップＳ７〜Ｓ１２の処理を行う。ステップＳ７〜Ｓ１２の処理は実施形態１で説明した通りであるため、ここでは説明を省略する。
このように、実施形態３に係るアクティブタグ装置６００によれば、Ｍ（この例ではＭ＝３）個のうちの１個のアンテナでの受信毎に休止期間が取られるので、アクティブタグ装置６００の周囲の環境の変化により、質問信号が受信できなくなる可能性を低減できる。この結果として、迅速に認証を行うことができ、スムーズな入退場を実現できる。
【００６６】
ここで、周囲の環境の変化とは、質問信号に干渉する信号（ノイズ）が発生した場合や、アクティブタグ装置６００を保持するユーザが移動することで、読取装置１００Ａからの距離が質問信号を受信できない程度に離れてしまうことが一例として挙げられる。
次に、アクティブタグ装置６００の休止期間の変更に係る処理について説明する。
図１３は、アクティブタグ装置６００の休止期間の変更に係る処理を示すフローチャートである。
【００６７】
アクティブタグ装置６００の休止期間の変更に係る処理は、同図に示すように、実施形態１に係るアクティブタグ装置２００の休止期間の変更に係る処理（図６参照）のステップＳ２３及びＳ２４の処理に代えて、ステップＳ５１及びＳ５２の処理を行うものである。従って、ステップＳ５１及びＳ５２の処理を中心に説明する。
電力制御部６０７は、タイマ２０６により、予め定められた昼時間から夜時間に遷移したことを通知されたときに（ステップＳ２１：ＹＥＳ、Ｓ２２：夜時間）、休止期間をＴｌｓに設定する（ステップＳ５１）。一方、電力制御部６０７は、タイマ２０６により夜時間から昼時間に遷移したことを通知されたときには（ステップＳ２２：昼時間）、休止期間をＴｓｓに設定する（ステップＳ５２）。
【００６８】
＜補足＞
以上、本発明に係るアクティブタグ装置の実施形態を説明したが、例示したアクティブタグ装置を以下のように変形することも可能であり、本発明が上述の実施形態で示した通りのアクティブタグ装置に限られないことは勿論である。
（１）上述の各実施形態では、アクティブタグ装置（２００、５００、６００）について入退場管理システムを例として説明したが、アクティブタグ装置（２００、５００、６００）は、例えば、所在管理システムなど他のシステムに使われるものとしてもよい。
【００６９】
（２）上述の実施形態１及び２では、動作期間において、ＬＦアンテナ（２０１ｘ、２０１ｙ及び２０１ｚ）を順に切り替え、ＬＦアンテナ（２０１ｘ、２０１ｙ及び２０１ｚ）毎に一定時間ずつ質問信号の受信を試みることとした。しかしながら、一定時間ずつではなくＬＦアンテナ（２０１ｘ、２０１ｙ及び２０１ｚ）毎に異なる時間を設定してもよい。
【００７０】
また、上述の実施形態１及び２では、電力制御部（２０７、５０７）が内蔵電池２０５からＬＦ信号受信回路２０２への電力供給を行う動作期間は、ＬＦアンテナ（２０１ｘ、２０１ｙ及び２０１ｚ）毎に質問信号の受信を試みる受信期間にアンテナの数を掛けた値であることとした。しかしながら、これに限らず、例えば、動作期間は、受信期間にアンテナの数を掛けた値を２倍にした値とし、動作期間中にＬＦアンテナ（２０１ｘ、２０１ｙ及び２０１ｚ）毎に２回ずつ質問信号の受信を試みることとしてもよい。また、このとき休止期間の時間長Ｔｓは、Ｔｓ＝Ｔａ−Ｔｃ（２Ｎ＋１）等としてもよい。
【００７１】
（３）上述の各実施形態では、時間やエリアを使用し、休止期間の長さを決定したが、これに限らず、例えば、アクティブタグ装置（２００、５００、６００）が外部からの入力を受け付けるボタン等を備え、ユーザが外部から休止期間の長さを切り替えられるようにしてもよい。
（４）上述の各実施形態では、ｘ軸、ｙ軸及びｚ軸の３つのＬＦアンテナ（２０１ｘ、２０１及び２０１ｚ）を備えることとしたが、３つに限らず、例えば１つでもよい。
【００７２】
（５）上述の各実施形態では、いずれかのＬＦアンテナ（２０１ｘ、２０１ｙ又は２０１ｚ）で質問信号に含まれるＣＷ２１を受信すると、そのＬＦアンテナを用いて質問信号のＣＷ２１以降のデータを受信することとした。しかしながら、先にＣＷ２１を受信したアンテナがあった場合でも全てのＬＦアンテナ（２０１ｘ、２０１ｙ及び２０１ｚ）で受信を行い、最も強くＣＷ２１を受信したＬＦアンテナ（２０１ｘ、２０１ｙ又は２０１ｚ）を用いて、以降のデータを受信することとしてもよい。
【００７３】
（６）上述の実施形態１では、現在時刻が昼時間であれば休止期間をＴｓに設定し、夜時間であれば休止期間をＴｌに設定した。しかしながら、例えば、現在時刻が夜時間であれば休止期間をＴｓに設定し、昼時間であれば休止期間をＴｌに設定するものとしてもよい。同様に、実施形態３においても、現在時刻が昼時間であれば休止期間をＴｌｓに設定し、夜時間であれば休止期間をＴｓｓに設定するものとしてもよい。また、実施形態１及び３の休止期間の決定基準は、昼時間と夜時間に限らず、例えば、計時手段が時間だけではなく日時を認識できるものであれば、休止期間の決定基準には、平日と休日とを用いてもよい。
【００７４】
また、上述の実施形態３では、現在時刻が昼時間から夜時間に遷移したときに休止期間の時間長をＴｓｓからＴｌｓに変更したが、現在時刻によって休止期間の時間長を変更することなく、休止期間の時間長を固定長Ｔｓｓ又はＴｌｓとしてもよい。
また、上述の実施形態３では、上述の実施形態１と同様に時間を使用し、休止期間の時間長を決定したが、上述の実施形態２と同様にエリアを使用し、休止期間の時間長を決定してもよい。
【００７５】
（７）上述の実施形態１及び３では、昼時間及び夜時間はアクティブタグ装置（２００、６００）の製造時にタイマ２０６に予め設定されているものとしたが、これに限らない。例えば、読取装置（１００Ａ及び１００Ｂ）の送信する質問信号に昼時間と夜時間とが含まれていて、アクティブタグ装置（２００、６００）が質問信号を受信したときに、昼時間と夜時間とを設定する等、後から昼時間及び夜時間を設定するものとしてもよい。
【００７６】
（８）上述の実施形態２では、オフィスのあるビルの内側を管理領域３の一例として説明し、アクティブタグ装置５００を保持するユーザが、オフィスが入っているビル内にいるか否かで休止期間の変更を行った。しかしながら、ビルに限らず、例えば、ビル内の特定のエリア内にいるか否かで休止期間の変更を行ってもよい。
（９）上述の実施形態２では、受信した質問信号に含まれた読取装置ＩＤがエリア外ＩＤに一致するか否かを判定し、一致しなかった場合に、この読取装置ＩＤがエリア内ＩＤに一致するか否かの判定を行った。しかしながら、これに限らず、例えば、受信した質問信号に含まれた読取装置ＩＤがエリア内ＩＤに一致するか否かを先に判定することとしてもよい。
【００７７】
また、上記実施形態２では、記憶部５０１にエリア内ＩＤ及びエリア外ＩＤを記憶させていたが、エリア内ＩＤ及びエリア外ＩＤのいずれか一方のみを記憶させることとしてもよい。例えば、エリア内ＩＤのみを保持し、受信した質問信号に含まれていた読取装置ＩＤがエリア内ＩＤと一致したときはエリア内にいると判定し、それ以外のときはエリア内にいないと判定することとしてもよい。
【００７８】
（１０）上述の各実施形態及び各変形例を、部分的に組み合せてもよい。
以下、更に本発明の一実施形態としてのアクティブタグ装置の構成及びその変形例と効果について説明する。
（ａ）本発明の一実施形態に係るアクティブタグ装置は、図２に示すように、アンテナを介して外部から信号を受信する受信回路と、内蔵電池から電力供給を受けて前記受信回路が受信動作する動作期間と電力供給を受けない休止期間とを繰り返すように制御する電力制御手段とを備える。ここでの受信回路とは、例えば、実施形態１のＬＦ信号受信回路２０２のことである。この構成により、アクティブタグ装置は動作期間と休止期間とを繰り返すため、内蔵電池の省電力化を実現できる。
【００７９】
（ｂ）前記アクティブタグ装置は、前記アンテナをＮ個（Ｎ≧１）備え、前記受信回路は、前記動作期間に、前記アンテナ毎に一定時間Ｔｃずつ受信信号の受信を試み、前記電力制御手段は、前記受信信号に含まれる同期信号の送信期間をＴａとしたときに、前記休止期間の時間長ＴｓをＴｓ≦Ｔａ−Ｔｃ（Ｎ＋１）となるように決定することとしてもよい。ここで、同期信号とは、例えば、実施形態１の読取装置１００Ａが送信する質問信号に含まれるＣＷ２１のことである。この構成によると、読取装置がＣＷを送信している期間中に、各アンテナでの受信が少なくとも１回ずつは行えるため、どのようなタイミングで質問信号の受信可能エリアに入っても、質問信号を受信することが可能となり、休止期間があっても迅速な応答による認証等が可能となる。
【００８０】
（ｃ）前記アクティブタグ装置における前記電力制御手段は、前記休止期間の長さの変更が可能であることとしてもよい。この構成によると、アクティブタグ装置は休止期間の変更を行えるため、認証等の必要がないと考えられる期間は休止期間を長く設定し、内蔵電池の電力消費をより抑制することができる。
（ｄ）前記アクティブタグ装置は、更に、現在時刻が第一期間に属するかと第二期間に属するかとを識別する計時手段を備え、前記電力制御手段は、前記計時手段の識別結果が前記第一期間である場合は、前記休止期間をＴｓに設定し、前記計時手段の識別結果が前記第二期間である場合は、前記休止期間をＴｌ（Ｔｓ＜Ｔｌ）に設定することとしてもよい。ここでの第一期間は、例えば、実施形態１の昼時間のことであり、第二期間は、例えば、実施形態１の夜時間のことである。また、計時手段は、例えば、実施形態１のタイマ２０６のことである。この構成によると、アクティブタグ装置を保持しているユーザがオフィス等にいると考えられる時間は休止期間を短くすることで迅速な応答を可能とし、オフィス等にいないと考えられる時間は休止期間を長くすることで、内蔵電池の電力消費を抑制することができる。
【００８１】
（ｅ）前記アクティブタグ装置は、図８に示すように、更に、自装置が所定のエリア内に存するか否かを判断するためのエリア情報を記憶する記憶手段を備え、前記電力制御手段は、前記エリア情報に基づき自装置が前記所定のエリア内に存すると判断されたときは、前記休止期間をＴｓに設定し、前記所定のエリア内にいないと判断されたときは前記休止期間をＴｌ（Ｔｓ＜Ｔｌ）に設定することとしてもよい。この構成によると、所定のエリア、例えばオフィス等にいるときは休止期間を短くすることで迅速な応答を可能とし、オフィス等にいないときは休止期間を長くすることで、内蔵電池の電力消費を抑制することができる。
【００８２】
（ｆ）前記アクティブタグ装置における前記エリア情報は、所定のエリア内を示すエリア内識別子であり、外部の電波発生源が管理するエリアに入った場合において、前記電波発生源からの前記受信信号に含まれる前記電波発生源の識別子と前記エリア内識別子とが一致したときは、前記所定のエリア内にいると判断することとしてもよい。ここでの電波発生源とは、例えば、実施形態２の読取装置１００Ｆのことであり、エリア内識別子は、例えば、実施形態２のエリア内ＩＤである。この構成によると、記憶部が記憶するエリア内ＩＤと読取装置のＩＤとが一致したときには、所定のエリア内、例えばオフィス等にいると判断することができる。
【００８３】
（ｇ）更に、前記アクティブタグ装置における前記エリア情報は、所定のエリア外を示すエリア外識別子も含み、外部の電波発生源が管理するエリアに入った場合において、前記電波発生源からの前記受信信号に含まれる前記電波発生源の識別子と前記エリア外識別子とが一致したときは、前記所定のエリア内にいないと判断することとしてもよい。ここでの電波発生源とは、例えば、実施形態２の読取装置１００Ｅのことであり、エリア外識別子は、例えば、実施形態２のエリア外ＩＤである。この構成によると、記憶部が記憶するエリア外ＩＤと読取装置のＩＤとが一致したときには、所定のエリア内、例えばオフィス等にいないと判断することができる。
【００８４】
（ｈ）前記アクティブタグ装置における前記休止期間は、自装置への操作入力によって決定されることとしてもよい。この構成によると、ユーザ自身が休止期間の長さを変更することができるため、認証等を必要とするときは休止期間を短くすることで迅速な応答を可能とし、認証等を必要としないときは休止期間を長くすることで、内蔵電池の電力消費を抑制することができる。
【００８５】
（ｉ）前記アクティブタグ装置におけるＮ個の前記アンテナが、直交座標系のｘ軸、ｙ軸及びｚ軸にコイル軸芯を向けた３個のアンテナであることとしてもよい。この構成によると、アクティブタグ装置は、互いに直交する３軸のアンテナを有するため、ユーザがどのような向きでアクティブタグ装置を保持していても質問信号を受信することができる。
（ｊ）前記アクティブタグ装置は、前記アンテナをＭ個（Ｍ≧２）備え、前記受信回路は、前記動作期間毎に、Ｍ個のうちの１個の前記アンテナを順に用いて受信信号の受信を試み、前記電力制御手段は、前記動作期間を一定時間Ｔｃとし、かつ前記受信信号に含まれる同期信号の送信期間をＴａとしたときに、前記休止期間の時間長ＴｓｓをＴｓｓ≦｛Ｔａ−Ｔｃ（Ｍ＋１）｝／Ｍとなるように決定することとしてもよい。この構成によると、Ｍ個のうちの１個のアンテナでの受信毎に休止期間が取られる。従って、受信信号に干渉する信号（ノイズ）の存在や、アクティブタグ装置を保持したユーザが移動した際に、アクティブタグ装置が存在する位置により、受信信号を受信できなくなってしまう可能性を低減できる。
【符号の説明】
【００８６】
２００、５００、６００  アクティブタグ装置
２０１                  ＬＦアンテナ
２０２、６０２          ＬＦ信号受信回路
２０３                  ＲＦ信号送信回路
２０４、５０４          制御部
２０５                  内蔵電池
２０６                  タイマ
２０７、５０７、６０７  電力制御部
５０１                  記憶部
【図１】
2012147419.tif 000003
【図２】
2012147419.tif 000004
【図３】
2012147419.tif 000005
【図４】
2012147419.tif 000006
【図５】
2012147419.tif 000007
【図６】
2012147419.tif 000008
【図７】
2012147419.tif 000009
【図８】
2012147419.tif 000010
【図９】
2012147419.tif 000011
【図１０】
2012147419.tif 000012
【図１１】
2012147419.tif 000013
【図１２】
2012147419.tif 000014
【図１３】
2012147419.tif 000015